(57)【要約】【課題】本発明は、道路エリアで各区画を区切る場合、区切る部材として植栽帯を設置する以上の効果が得られ、様々な利用用途に転用することが出来、また、道路で常用的にあるいは臨時に乗り入れ場所を新たに設置する必要が生じたときにおいても、簡単に撤去したり移動したり出来る多目的用途コンクリートブロックを提供することを目的とする。【解決手段】長手方向の両端面隅角部を面取りして略半円柱側面状をなすＲ面に構成された略直方体状をなす本体部と、前記本体部の底面長手方向略中央部に形成された下側空間部と、前記本体部の底面長手方向両端側に形成され、底面が設置面と密着する脚部と、前記本体部上面部に上向き開口を有する略直方体状に形成された上向き凹部と、該上向き凹部に隣接する本体部面に形成された本体部上面より下がる段差に形成された水平上面部を有する段差面とを備えたことを特徴とする。【選択図】  図１
2020045647.tif 000002
【特許請求の範囲】
【請求項１】
長手方向の両端面隅角部を面取りして略半円柱側面状をなすＲ面に構成された略直方体状をなす本体部と、前記本体部の底面長手方向略中央部に形成された下側空間部と、前記本体部の底面長手方向両端側に形成され、底面が設置面と密着する脚部と、前記本体部上面部に上向き開口を有する略直方体状に形成された上向き凹部と、該上向き凹部に隣接する本体部面に形成された本体部上面より下がる段差に形成された水平上面部を有する段差面と、を備えた、
ことを特徴とする多目的用途コンクリートブロック。
【請求項２】
前記本体部の側面に検知部を設けた、
ことを特徴とする請求項１記載の多目的用途コンクリートブロック。
【発明の詳細な説明】
【技術分野】
【０００１】
本発明は、例えば、道路空間の車道と歩道とを区切るコンクリートブロックやそのほか多様な目的で使用することが出来る多目的用途コンクリートブロックに関するものである。
【背景技術】
【０００２】
従来、道路エリアで、各区画を区切る場合、例えば歩道と自転車道を区切る場合、あるいは車道と歩道等を区切る場合、区切る部材として、一般的に植栽帯が使用されることが多い。しかしながら、前記植栽帯は地面等を掘削して直接設置することから、簡単に移動することが出来ず、かつその植栽帯は様々な利用用途に転用することが出来ないものであった。
さらに植栽帯に植えた草木が生長して、例えば歩道の根上がりを招来してしまうとの課題もあった。
【０００３】
また、道路において、常用的にあるいは臨時に乗り入れ場所を新たに設置する必要が生じたとき、植栽帯が邪魔になり、もって植栽帯を移動したりすることが必要になるが、撤去したり移動するのはきわめて困難なことであった。
【０００４】
さらに、前記植栽帯による道路の各区画の仕切りではなく、コンクリートブロックを用いて行うことも提案されている（特開２００９−２２１７４７号）が、この場合も撤去したり移動したりするのはきわめて困難なことであった。
【先行技術文献】
【特許文献】
【０００５】
【特許文献１】特開２００９−２２１７４７号公報
【発明の概要】
【発明が解決しようとする課題】
【０００６】
かくして、本発明は、前記従来の課題を解消するために創案されたものであり、道路エリアで、各区画を区切る場合、例えば歩道と自転車道を区切る場合、あるいは車道と歩道等を区切る場合、区切る部材として、植栽帯を使用しなくとも、植栽帯を設置する以上の効果が得られ、しかも簡単に移動することが出来、かつ植栽帯のみならず様々な利用用途に転用することが出来、また、道路で常用的にあるいは臨時に乗り入れ場所を新たに設置する必要が生じたときにおいても、簡単に撤去したり移動したり出来る多目的用途コンクリートブロックを提供することを目的とするものである。
【課題を解決するための手段】
【０００７】
本発明は、
長手方向の両端面隅角部を面取りして略半円柱側面状をなすＲ面に構成された略直方体状をなす本体部と、前記本体部の底面長手方向略中央部に形成された下側空間部と、前記本体部の底面長手方向両端側に形成され、底面が設置面と密着する脚部と、前記本体部上面部に上向き開口を有する略直方体状に形成された上向き凹部と、該上向き凹部に隣接する本体部面に形成された本体部上面より下がる段差に形成された水平上面部を有する段差面と、を備えた、
ことを特徴とし、
または、
前記本体部の側面に検知部を設けた、
ことを特徴とするものである。
【発明の効果】
【０００８】
本発明による多目的用途コンクリートブロックであれば、
道路エリアで、各区画を区切る場合、例えば歩道と自転車道を区切る場合、あるいは車道と歩道等を区切る場合、区切る部材として、植栽帯を使用しなくとも、植栽帯を設置する以上の効果が得られ、しかも簡単に移動することが出来、かつ植栽帯のみならず様々な利用用途に転用することが出来、また、道路で常用的にあるいは臨時に乗り入れ場所を新たに設置する必要が生じたときにおいても、簡単に撤去したり移動したり出来るとの優れた効果を奏する。
【図面の簡単な説明】
【０００９】
【図１】本発明の実施例の構成を説明する構成説明図（１）である。
【図２】本発明の実施例の構成を説明する構成説明図（２）である。
【図３】本発明による多目的用途コンクリートブロックの平面図である。
【図４】本発明による多目的用途コンクリートブロックの正面図である。
【図５】本発明による多目的用途コンクリートブロックの断面図である。
【発明を実施するための最良の形態】
【００１０】
以下、本発明を図に示す実施例に基づいて説明する。
図１、図２に本発明の実施例を示す。図１、図２において符号１は道路を示し、該道路１は、車道２、自転車道３及び歩道４に区切られている。
そして、この実施例では、本発明による多目的用途コンクリートブロック５は自転車道３と歩道４とを区切るブロックとして用いられている。
【００１１】
ここで、本発明による多目的用途コンクリートブロック５の構成につき説明すると、この多目的用途コンクリートブロック５は、略直方体状をなす本体部６を有している。そして、この本体部６の長手方向の両端面は、その隅角部が面取りされ、もって略半円柱側面状をなすＲ面に構成された端部側Ｒ面部７として形成されている。
【００１２】
この端部側Ｒ面部７の形成については、何ら限定されないが、予め端部側Ｒ面部７用の型枠を形成しておき、その型枠内にコンクリートを充填して端部側Ｒ面部７を形成しても構わないし、あるいは略直方体状をなす型枠を用意し、脱型後に長手方向両端面隅角部を切削して端部側Ｒ面部７としても構わない。
【００１３】
また、図４、図５から理解されるように、本体部６の底面長手方向略中央部には下側空間部８が設けられ、前記本体部６の底面長手方向両端側には、底部９が設置面１０と平面的に密着する面となっている脚部１１が一対形成されており、下側空間部８と一対の脚部１１とにより、本体部６の該当部分の形状は略逆凹状になっている。
【００１４】
さらに、前記本体部６の上面部１２側には、上向き開口１３を有する略直方体状に形成された上向き凹部１４が設けられている。
【００１５】
そして、該上向き凹部１４の周囲に隣接している本体部６の上面部１２における隣接面は、本体部６の上面部１２の面より下がる段差を有し、かつその上面が水平面とされる段差面１６として形成されている。
【００１６】
尚、本体部６の下部に設けられた一対の脚部１１に対応する上面側には、前述した端部側Ｒ面部７が設けられているが、その端部側Ｒ面部上面の外側頂部１７は面取りされ、端部側Ｒ面部上面が山状をなすよう形成されている。
【００１７】
また、図４に示すように、本体部６の側面両端側には検知部１８が形成される。例えば、この検知部１８は、光を反射する反射板などが取り付けられて構成される。
【００１８】
以上において、この多目的用途コンクリートブロック５は様々な使用方法が考えられる。
図１、図２では、自転車道３と歩道４とを区切るブロックとして用いられている。後発的に歩道４の一部について自転車道４を形成する場合、きわめて簡単に、手っ取り早く歩道４と自転車道３を区切ることが出来る。しかも歩道４の割合と自転車道３の割合は随時変更することが出来る。
【００１９】
さらに、多目的用途コンクリートブロック５の前記上向き凹部１４を植栽帯として利用できる。この場合、当該上向き凹部１４内に直接土を入れ、その土内に草花１９を植栽しても構わないし、上向き凹部１４内に市販の植栽プランターボックスを搬入して植栽帯を形成することも出来る。
【００２０】
また、本発明による多目的用途コンクリートブロック５を図１、図２のように複数長手方向に繋げて設置すれば、全体として仕切りブロックともなり、また連続する植栽帯を形成することが出来る。
【００２１】
ここで、本発明の多目的用途コンクリートブロック５は、その長手方向に繋ぐ際、曲線状に、あるいは環状に曲げてつなげることが出来る。すなわち、長手方向両端部は、略半円柱状側面をなす端部側Ｒ面部７として構成してあり、出っ張る隅角部がないため、外形状スムーズに、かつ綺麗につなげることが出来るものとなっている。上記のように端部に丸みを帯びさせてあるので、連続して設置するとき曲線状にしやすく、外観上も全く違和感がない。
【００２２】
さらに、図１に示すように、本発明の多目的用途コンクリートブロック５では、プランターや仕切り壁としての利用だけでなく、ベンチとしても使用出来る構成になっている。
【００２３】
前述した様に、上向き凹部１４の外周は、本体部６の上面より一段下がった段差面１６として構成してある。よって、その段差面１６にベンチ用の板２０を載置すれば、簡単にベンチが形成できる。
【００２４】
さらに、道路工事中において、歩道空間を中期的に縮小する必要が生ずる場合があるが、その際においても本発明による多目的用途コンクリートブロック５であれば、スムーズに対応が可能である。すなわち、多目的用途コンクリートブロック５の板側空間部８にワイヤーを通し、このワイヤーを重機などで吊り上げれば容易に移動させることが出来る。
【００２５】
さらに、ほかの使用目的としては、外部集会場の確保や外部イベント時において、一時的に空間を確保し、仕切るために使用することが出来る。上向き凹部１４に例えば市販のプランターボックスを搬入すれば、植栽帯の仕切り壁としての使用となる。また、イベント時にベンチとしても使用出来る。
さらに、駐車場（道の駅、ＳＡＰＡ等）のゼブラゾーンの不法駐車対策に使用することも出来る。
【００２６】
また、簡易案内標識にも使用出来る。特に、本体部６の側面両端側には検知部１８が形成されており、例えば、この検知部１８に、光を反射する反射板などを取り付ければ、大きな目印となる。
【００２７】
この様に本発明は、舗装面等に直接載置して設置できることから、移動が容易であり、様々な利用用途に転用が可能なのである。
そして、従来のバリケード等に比べ、設置スペースがコンパクトですむと共に日々の点検が不要となる。特に異常気象時に風で飛ばされないか、あるいは大雨によって流されないか等の点検が不要なのである。
【００２８】
さらに、バリケード等に比べ仮設感がないため、美的な外観にも優れ、また緑化が可能であることから地球の温暖化防止にも貢献でき、イベント時には来場者への心の癒しにもなる。
さらに、コンクリート製品であることから安価でかつ耐久性に優れるとの利点がある。
【符号の説明】
【００２９】
１    道路
２    車道
３    自転車道
４    歩道
５    多目的用途コンクリートブロック
６    本体部
７    端部側Ｒ面部
８    下側空間部
９    底部
１０  設置部
１１  脚部
１２  上面部
１３  上向き開口
１４  上向き凹部
１６  段差面
１７  外側頂部
１８  検知部
１９  草花
２０  板
【図１】
2020045647.tif 000003
【図２】
2020045647.tif 000004
【図３】
2020045647.tif 000005
【図４】
2020045647.tif 000006
【図５】
2020045647.tif 000007